(57)【要約】【課題】東日本大震災に於ける福島第一原子力発電所事故により放出した放射性セシウム１３７を、化合物を作らずに土壌から分別できる装置を得る。【解決手段】放射性セシウム１３７を含んだ汚染土を水槽に入れて撹拌し放射性セシウム１３７を含む汚染土を水中で沈殿させ、水槽の温度を金属セシウムの融点２８．４４℃以上に上げ放射性セシウム１３７を溶融させ細い棒状であった形状から水中では球状になることにより沈殿速度を遅くし、他の砂等の比重の重いものよりも長時間水中に浮遊させ、これら砂等と分離し、また、同じく遅く沈殿する泥とは電磁石を使い酸化セシウム状である放射性セシウム１３７を磁石に吸い付けることにより泥と分離する。電磁石に吸い付いた放射性セシウムは先に泥の回収を終えた後、電磁石の給電を止め放射性セシウムを落下させることにより沈殿させ、回収した後の容器を再び加熱し放射性セシウムを溶融し結合させ、常温冷却後純粋な放射性セシウムの塊とし、土壌や灰との完全分離回収を行う装置を得る。【選択図】図２
2014025904.tif 000002
【特許請求の範囲】
【請求項１】
第１槽及び第２槽の水槽中に傾斜し細かい金網の張った回転籠を備え、放射性セシウムによる汚染土を回転籠に投入して水とともに撹拌し、金網を通過し降下沈殿する性質の放射性セシウムを含む細かい砂や泥と大きめの砂や草などの浮遊物とを分別する前処理部と、次の第３槽で金属セシウムの融点を超す温度に加熱するヒーターを備え、ゆっくり撹拌機で撹拌し細かい砂と放射性セシウムを含む泥とを分別する中間処理部と、次の第４槽で泥と放射性セシウムをゆっくり沈殿させ槽の上下中間位置に電磁石と強磁性体金網を備え、放射性セシウムの酸化セシウムとして常磁性体の性質より沈殿途中で放射性セシウムのみを強磁性体金網に吸着させ泥と分別する後処理部とを備えた放射性セシウム回収装置。
【請求項２】
前記第１槽で、回転籠の中には細かい金網を通過できない粗い砂や草などの浮遊物を回転籠を傾斜回転し内部の粗い砂や浮遊物を移動させ、外部へ放出させるスクリューコンベヤを含み、放射性セシウムを洗い流す工水を第１槽に注入することを含む請求項１に記載の放射性セシウム回収装置。
【請求項３】
前記第２槽で、回転籠の金網より抜け出て降下沈殿する金属セシウムを含む細かい砂や泥を集めるスクリューコンベヤを含み、循環ポンプで水中噴射した水流で攪拌させつつ次の槽に送る請求項１に記載の放射性セシウム回収装置。
【請求項４】
実験観察から、汚染土に含まれる放射性セシウムの形状は先の尖った細い棒状であり、降下中の水の抵抗が極めて少ないことを発見し、放射性セシウムの降下速度を遅くするには、前記第３槽に於いて水温を金属セシウムの融点２８．４４℃以上に加熱し、放射性セシウムを温水中で溶融させ形状を前記の細い棒状から球状に変化させることにより、水の抵抗を増やし砂との分別を容易にする方法を含む請求項１に記載の放射性セシウム回収装置。
【請求項５】
前記第４槽で、請求項４の第３槽から流入してきた放射性セシウムと泥をゆっくり沈殿させつつ、第４槽上下の中間位置に槽の外部に電磁石を配置し、この磁力を誘導し磁化する強磁性体金網を槽内部に備え、この強磁性体金網に於いて電磁石に通電したとき泥は通過し、常磁性体である放射性セシウムだけを吸い付ける作用を形成して泥との分別を行い、槽底に備えたセシウム回収用電磁弁と電磁石、及び泥回収用電磁弁とを交互に切換えることにより泥と放射性セシウムを別々に回収する方法を含む請求項１に記載の放射性セシウム回収装置。
【請求項６】
前記請求項５に記載の第４槽の内部に具備した強磁性体金網の形状を、向かい合った板状の金網の向きを交互にハの字状に配置することにより、強力な磁場を形成し、より放射性セシウムの吸着効果を高めた請求項１に記載の放射性セシウム回収装置。
【請求項７】
前記請求項５に記載の第４槽の水面近くにストレーナーを介して高圧ポンプより汲み上げた浄化水を、請求項１に記載の前処理部回転籠上部に高圧洗浄ノズルを備え、回転籠の周りに張った金網に詰った汚染土や草などを洗い流す、浄化水循環機能を含む請求項１に記載の放射性セシウム回収装置。
【請求項８】
前記請求項５に記載の放射性セシウム回収装置の後処理部から回収した高濃度セシウムを含む汚染水を集める槽を備え、槽内の高濃度汚染水を再加熱し槽底に沈殿している放射性セシウムを溶融させることにより、隣り合った液体金属はくっ付き塊となり、槽上部の水は浄化水として外部に放出可能であることを含み、下部の液状金属セシウムの塊はポンプで外部に送出し、常温冷却により固体の純粋な放射性金属セシウムとなることを含む放射性セシウム凝縮分離装置。
【請求項９】
請求項１の前処理部、中間処理部、後処理部を備え放射性セシウム凝縮分離装置をも備えた装置をトラックの荷台に装備し、移動可能とすることを含む請求項１に記載の放射性セシウム回収装置。
【発明の詳細な説明】
【技術分野】
【０００１】  本発明は、東日本大震災に於ける福島第一原子力発電所から放出された放射性物質セシウム１３７及びセシウム１３４の物理特性の発見とこれを周辺の土壌から回収する方法及びその回収装置に関するものである。
【背景技術】
【０００２】  原子力発電の核燃料はウラン２３５やプルトニウム２３９である。このウラン２３５やプルトニウム２３９を核分裂させ発生する熱エネルギーを利用して水蒸気をつくり、その水蒸気によってタービンを回転させて発電機を回し電気を作るのが原子力発電である。【０００３】  図１にウラン２３５の核分裂の様子を表す。この図では核が二つに分裂し、熱エネルギーと２〜３個の中性子を発生している。【０００４】  この二つの分裂片の片方が「ヨウ素」または「クセノン」または「セシウム」または「バリウム」であることがわかっている。もう一つの分裂片は、一方がヨウ素なら「イットリュウム」、クセノンの片割れは「ストロンチュウム」、セシウムの片割れは「ルビジュウム」、バリュウムの片割れは「クリプトン」という元素になることもわかっている。【０００５】  これらの分裂片はそれそれが強いエネルギーを持っている。この強いエネルギーを持った分裂片はエネルギーを放出して安定しようとする。この放出するエネルギーが放射線である。【０００６】  これらの放射線はα線、β線、γ線、中性子線などがあり透過特性がある（周知事項）。特にα線やβ線は粒子線であるため透過力は弱いがγ線は電磁波であるため透過力が高く、非荷電粒子線である中性子線は鉛やコンクリートでも十分でなく、水に含まれる水素の原子に衝突させてエネルギーを吸収させる。【０００７】  核分裂で生成される分裂片は通常燃料棒の中に閉じ込められているため原子炉から漏れることはない。しかし今回の事故では燃料棒の空焚きから核燃料の溶融が起き、燃料ペレットの周囲を覆うジルコニウム合金でできた燃料被覆管とチャンネルボックスが高温となり水と反応して水素が発生し１号機及び３号機で水素爆発が起こった。【０００８】  また、２号機の格納容器もこの空焚きによって異常高圧となり壊れ、この損傷によって核燃料の分裂片が外部に大量放出、風に乗って広い地域に拡散された。現在広範囲に渡って汚染物質が拡散されたのはこの２号機からの拡散が多いことが後の調査で明らかにされた。【０００９】  従って各地で観測されている放射性物質とは核燃料の分裂片であることがわかっている。【００１０】  この分裂片である放射性元素として多い物質は放射性ヨウ素１３１とセシウム１３７であるがβ線を出す放射性ヨウ素１３１の半減期は８日と比較的少なく、問題はγ線を出すセシウム１３７の半減期３０年である。このセシウム１３７が長く周辺の地表や海底に留まり、われわれの生活を脅かす存在と成っている。【００１１】  通常これら分裂片は核燃料のウラン２３５やプルトニュウム２３９の原子核の分裂片であることから粒は細かく目には見えないとされている。【００１２】  この様なセシウム１３７を回収する技術としてこれまでいくつかの試みが成された。【００１３】  例えば幾つかの大学や公益研究所で開発されたセシウム吸着物質としてゼオライト（沸石）鉱石を粉状や球状に形成したものを水中のセシウムを吸着させ、その水から除去するものや、プルシアンブルーと呼ばれる顔料（フェロシアン化鉄）にセシウムを吸着する働きがあることを利用して田の泥を沈殿させこの顔料と凝固材を混ぜて泥とセシウムを凝固し、大量の泥水からセシウムを除去す��装置を開発している。【００１４】  ゼオライト（沸石）は二酸化ケイ素からなる骨格を基本とし、一部のケイ素がアルミニウムに置き換わることによって結晶格子全体が負に帯電している。そのため微細孔にナトリウムなどのカチオンを含み、電荷のバランスをとっている。粉末状にした沸石を別の種類のカチオンを含んだ水溶液中に入れると細孔内と水溶液中でイオン交換吸着が起こる。【００１５】この交換反応は可逆的であり、時間が経つと飽和して平衡状態となり吸着はしなくなる。【００１６】  同じように、他の研究では銅塩系不溶性フェロシアン化物を用いた放射性セシウムの吸着を試みているがこのフェロシアン化物はイオン交換容量が大きく放射能に強い利点はあるものの、欠点として粒子が細かく崩壊しやすいという問題があり実用的にはこの欠点の克服が必要であった。【００１７】  このような多孔質樹脂のイオン交換基を利用してフェロシアン化銅を担持した複合体をセシウムの１回限りの吸着剤と使用することは知られていた。また、これにアルコールを用いて塩化銅など特定の銅塩がよく溶ける性質を利用して過剰のフェロシアン化銅を回収し繰返し吸着剤として使用する試みも行われた。【００１８】  また他の研究では前述のプルシアンブルーと呼ばれる顔料を、セルロース系の繊維に取り込ませた布にセシウムをイオン交換吸着させる方法を開発している。【００１９】たとえば読売新聞  平成２４年５月２９日朝刊３１項（非特許文献１）に開示されている。【００２０】  これも或る一定の量の吸着で飽和状態となるが、希塩酸溶液を使って分離凝固するものである。【００２１】  概ね、これら吸着剤を用いてセシウムを含む泥、灰などを水溶液中で沈殿させ凝固し水と分離し減容を行う場合、セシウム以外の物質との化合物を作り凝固沈殿を行うため純粋なセシウムだけを分離することはできず、別な化合物を生成することによりその化合物の処理にまた新たな処理を必要とするなど、放射性セシウムの回収以外の別の問題を発生させる。【００２２】
【非特許文献１】  読売新聞  平成２４年５月２９日  朝刊３１項
【００２３】
【発明の開示】
【００２４】
【発明が解決しようとする課題】
【００２５】  したがって、本発明の目的は、原子炉格納容器の損傷などによって拡散した放射性セシウムの回収に当ってこの物質の性質や振る舞い、姿を放射性セシウムの同位体である金属セシウムとしての物理特性の面から明らかにし、放射性セシウムの回収装置を提供することを目的とする。
【００２６】  また、前述のように他の研究機関が行っている放射性セシウムと他の物質との化学変化を起こし吸着剤等を使用したセシウムの分離方法では、その媒体である水とセシウムを含む凝固体との分離を行い汚染物質の減容を行っている。
【００２７】  この減容した高濃度汚染物質を含む凝固体の処理や保管或いは凝固に至る処理水の後処理も問題が残るため、セシウムの化合物を作らない分離回収装置を提供することを目的とする。
【００２８】
【課題を解決するための手段】
【００２９】  本発明の放射性セシウム回収装置は汚染土を水に溶かし大き目の砂や草などを分離する前処理部と放射性セシウムを含む細かい砂と泥との分離を行う中間処理部を含み、最後に放射性セシウムが常磁性体として磁石に付く作用を利用した泥と放射性セシウムを分離回収する後処理部とを含んでいる。
【００３０】  また、本発明の放射性セシウム回収装置によって回収した放射性セシウムを含む高濃度汚染水を再加熱し、金属セシウムの融点を越して溶融させ隣り合ったセシウムをくっ付け合うことにより液体金属の塊を成し、常温冷却することにより高濃度汚染水から固体金属セシウムである放射性セシウムと浄化水に完全分離する凝固分離装置を含んでいる。
【００３１】  本発明の放射性セシウム回収装置によれば、水に溶けた汚染土に含まれる放射性セシウムは水に溶けると他の泥や砂と同様に沈殿することを実験観察で発見し、この作用を利用して泥や砂や他の物質から分離できることを含んでいる。
【００３２】  また、本発明の放射性セシウム回収装置において好ましくは、前述のようにこれまで核物質の分裂片であることから目に見えないとされていた汚染土に含まれる放射性セシウムの形状が、先の尖った細い小さな棒状であることを同じく実験で汚染土を溶かした水溶液中より採取し線量計で確認しつつ顕微鏡観察により発見した。
【００３３】  これは、金属セシウムの比重１．９（周知事項）と極めて軽いにも拘らず砂などの比重の重い物質と同様あるいはこれ以上の速度で沈殿することを含み、この比重の重い砂などとの分離に於いて落下沈殿速度を遅くする為、金属セシウムの融点２８．４４℃（周知事項）以上に水槽の温度をヒーターなどを使って上げることにより、細い棒状の放射性セシウムを溶融させ水中では球状へと形状変化させることにより水の抵抗を増し落下沈殿速度を遅くすることを含んでいる。
【００３４】  本発明の放射性セシウム回収装置において好ましくは、この砂などの重い物質との分離に於いて中間処理部に回転速度を調整できる攪拌機を具備し、重い砂などを沈殿させつつ溶融させ形状を変えて落下沈殿速度を遅くした放射性セシウムや泥などの比重の軽い物質を浮遊させつつ、次の後処理部へ送る装置を含んでいる。
【００３５】  本発明の放射性セシウム回収装置において好ましくは、落下沈殿速度の遅い泥との分離に於いても、福島原子力発電所事故から放出されたセシウムは大気中の酸素と化合して酸化セシウムとなっていること（チェルノブイリ原子力発電所事故の分析により周知事項）を利用して、この酸化セシウムの特質として常磁性体であることから磁石に付く作用を利用し泥との分離回収を行うことを含んでいる。
【００３６】  本発明の放射性セシウム回収装置において好ましくは、後処理部の上下方向の中央部に位置する部位に槽の外部回りに強力な電磁石を具備し、この槽の内側に強磁性体金網を具備することにより槽の外部の電磁石の電磁誘導により強磁性体金網は磁化し沈殿降下中の放射性セシウムを吸着する。
【００３７】  本発明の放射性セシウム回収装置に於ける後処理部で好ましくは、この強磁性体金網の形状を向かい合った板状の向きを交互にハの字状に配置することにより、強力な磁場を形成しより放射性セシウムの吸着効果を高めることを含んでいる。
【００３８】  また、本発明の放射性セシウム回収装置に於ける後処理部で好ましくは、セシウム回収用電磁弁と泥回収用電磁弁と循環ポンプを備え、通常は循環ポンプを作動しつつ泥と放射性セシウムの沈殿動作を繰り返すが、槽内の殆どの放射性セシウムを強磁性体金網に吸着した後は、槽底に溜まった泥を泥回収電磁弁を開いて槽外に放出させ、その後電磁石の通電を停止し強磁性体金網の励磁を止めて放射性セシウムを落下沈殿させ槽底に溜まった放射性セシウムをセシウム回収電磁弁を開いて槽外に放出する方法を含んでいる。
【００３９】  また、本発明の放射性セシウム回収装置に於ける後処理部の上部水面付近では浄化水の状態であり、この浄化水を高圧ポンプにより吸水し、前述の前処理部の回転籠に噴射して回転籠の目詰まりを取除き外部へ放出する大き目の砂や草などを洗浄する浄化水循環機能を含んでいる。
【００４０】  また、この後処理部の浄化水は中間処理部の沈殿した砂の洗浄にも使用できることを含んでいる。
【００４１】  図７に示す様に前述の本装置である前処理部、中間処理部、後処理部を含む放射性セシウム回収装置及び凝固分離装置を１台または複数台のトラック荷台に装備し、移動可能とした移動型放射性セシウム回収装置を含んでいる。
【００４２】
【発明の効果】
【００４３】  本発明の放射性セシウム回収装置によれば、汚染土や灰に含まれる放射性セシウムを土や灰から取出し完全分離回収を行うことができる。
【００４４】
【図面の簡単な説明】
【００４５】
【図１】一般的な放射性セシウムの生成過程を説明する説明図である。
【００４６】
【図２】本発明の実施の形態１における放射性セシウム回収装置の全体を表す概略図である。
【００４７】
【図３】本発明の実施の形態１における放射性セシウム回収装置の動作原理の基となる実験内容を説明する説明図である。
【００４８】
【図４】同じく、本発明の実施の形態１における放射性セシウム回収装置の動作原理の基となる実験内容を説明する説明図である。
【００４９】
【図５】本発明の実施の形態２における高濃度汚染水から放射性セシウムと水とを完全分離する放射性セシウム凝縮分離装置を表す概略図である。
【００５０】
【図６】本発明の実施の形態１における放射性セシウム回収装置の電磁石によって励磁した強磁性体金網の形状と放射性セシウムの付着の様子を表す概略図である。
【００５１】
【図７】本発明の実施の形態１における放射性セシウム回収装置及び凝縮分離装置をトラックの荷台に装備した様子を表す概略図である。
【００５２】
【表１】
2014025904.tif 000003
本発明の実施の形態１における放射性セシウム回収装置の実験による各計測点の放射線の測定量を表す。
【００５３】
【発明を実施するための最良の形態】
【００５４】  以下、本発明の実施の形態について、図面に基づいて説明する。【００５５】  （実施の形態１）【００５６】  図２は、本発明の実施の形態１における汚染土から放射性セシウムを回収する装置全体を説明する概略図である。【００５７】  本発明の実施の形態１於ける放射性セシウム回収装置では、全体を大まかに次の３つのブロックに別ける。まず汚染土の中の大き目の石や砂利、浮遊草等に付着した放射性セシウムを洗い流し外部に放出する前処理部。放射性セシウムを含む泥と細かい砂とを分離する中間処理部。泥と放射性セシウムとを分離する後処理部である。【００５８】  図２を参照して、第１槽１７及び第２槽１８をまたぐ前処理部では傾斜した回転籠１３を備えている。この回転籠１３には汚染土１０を投入するためのホッパー１１を備えている。【００５９】  この前処理部では第１槽１７側から工水１６を注入し第２槽１８を満たし、導管２２を通り次の中間処理部である第３槽２４へ水は流れる。【００６０】  前記回転籠１３には隙間が０．５ｍｍ程の金網を外周に張り、汚染土の中の細かい砂や放射性セシウムを含む泥をこの金網の目から通過させて第２槽１８の水中に降下沈殿させる。【００６１】  この金網から通過できない大き目の砂や草などの浮遊物は回転しながら傾斜した回転籠に沿って第１層１７側に移動し、最後に外部排出用スクリューコンベヤ１４の投入口に水中落下し、このコンベヤによって上昇し外部へ土砂排出１５する。【００６２】  この回転籠１３の内部で移動中の土砂や浮遊物は第１槽１７内の非汚染水によって放射性セシウムを洗い流し浄化しながら移動し、第１槽１７内の水も工水１６の連続注入によって汚染濃度の上昇を抑え、汚染水を次の第２槽１８へ移動させ常に第１槽１７は非汚染状態を維持する。【００６３】  また、この回転籠１３の上部に高圧洗浄ノズル１２を備え、高圧ポンプ３２で圧送した第４槽２８から吸い上げた浄化水を高圧ノズル１２から噴出させ、回転籠１３の細かい金網の目詰まりを除去し連続動作と浄化水のリサイクルを行う。【００６４】  第２槽１８では、前記回転籠１３の金網から通過した放射性セシウムを含む細かい砂や泥などを降下沈殿するが、この沈殿物を下部を狭めた形状を成す槽底中央に具備したスクリューコンベヤ１９で第２槽１８の端まで移動させる。【００６５】  この端では循環ポンプ２０により噴出した循環水噴射２３の水流で沈殿物は撹拌上昇しながら導管２２を通過して次の槽である中間処理部に流出する。【００６６】  この泥や砂と一緒に放射性セシウムも降下沈殿する作用は図３に示す通り実験により明らかになった事実である。【００６７】  図３では、水槽５０に水５１と放射性セシウムを含む汚染土を入れて撹拌後１０分経過の放射性セシウムを含む汚染土の降下沈殿する実験の様子を表したものである。【００６８】  各計測点の放射線量を表１に記す。【００６９】  図３と表１を参照して、まず図３で撹拌後１０分経過の状態で各部位の放射線量を計測すると水面（計測点Ａ）５５及び水５１の計測点Ｃ５７では０．０５〜０．３μシーベルトと低い値を示した。反面、計測点Ｄ５８、計測点Ｅ５９では０．６５〜２．１μシーベルトと下に位置する場所ほど高い線量を示す。取分け底面（計測点Ｂ）５６では２．１６μシーベルトの値を示す。【００７０】  また、それぞれの沈殿速度は重砂沈殿槽５４は１分経過であり、軽砂沈殿槽５３は２分経過であり泥の沈殿層５２は１０分経過ではっきり堆積が確認できる。【００７１】  この実験により福島原子力発電所事故で飛散し、事故から１年以上経過した現在地表や地中に含有している放射性セシウムは水中では浮遊せず全て早い速度（１分以内）で降下沈殿することが判明し、この放射性セシウム高速降下の特性が実施の形態１に於ける放射性セシウム回収装置の動作機能の基礎になっている。【００７２】  続いて中間処理部である第３槽２４では、上記実験によって判明した放射性セシウムが比重の重い砂などと同様或いはそれ以上の速度で降下沈殿することから、砂などの高比重物質との分別のため槽内の水を加熱し放射性セシウムの形状を溶融変化させるためのヒーター２７及び導管２２の回りのヒーター２１を備える。【００７３】  この状況は、実験により図４のようにバケツ６０に水と汚染土を入れ、一度ヒーターで加熱し金属セシウムの融点２８．４４℃を越した温度に水温を上げ、常温冷却の後で撹拌後５分経過の沈殿状況から、各計測点の放射線量を測定すると表１の通り計測点Ｆ６１で０．７２μシーベルト、計測点Ｇ６２で０．８６μシーベルトと大差が無いことがわかった。【００７４】  これは、撹拌後５分経過しても放射性セシウムは水中にまた浮遊している状態であることがわかる。【００７５】  本発明による実施の形態１於ける放射性セシウム回収装置の中間処理部、第３槽２４ではこの放射性セシウムを水中に長時間浮遊させる手段として第３槽２４の水温を放射性セシウムの融点２８．４４℃以上に上げる方法をとり、第２槽１８から入り込む導管２２の回りにヒーター２１を備え第３槽２４へ注入する汚染水を加熱し、槽底に設置したヒーター２７でも加熱しつつ水温低下を抑えている。【００７６】  この温水状態で撹拌機３１をゆっくり回転させ砂などの高比重物質の沈殿を妨げない速度で回転しつつ放射性セシウムを含む泥などの軽比重物質を浮遊させ導管２９へこの軽比重物質を含む汚染水を次の後処理部である第４槽２８へ流し出す。【００７７】  この中間処理部で第３槽２４の下部に沈殿した砂などの高比重物質には多少の放射性セシウムが含まれる可能性はあるものの、殆どの放射性セシウムは泥と一緒に浮遊し次の槽に流れ出ると考え、このまま沈殿した砂は容積型圧送ポンプ２６により定期的に外部に排出する。【００７８】  また、第４槽２８からの浄化水から汲み上げる高圧ポンプ３２により洗浄しつつ排出しても良い。【００７９】  次に、本発明による実施の形態１於ける放射性セシウム回収装置の後処理部として第４槽２８では、中間処理部から流入した軽比重物質の放射性セシウムを含む泥等を降下沈殿させる。【００８０】  この槽では中間処理部から流入した軽比重物質をゆっくり自然に降下沈殿させるが、槽の上下方向の中間部分の槽の外部に大容量の電磁石３６を備え、この位置の槽の内部に強磁性体で作られた金網を備え、槽外部の電磁石の電磁誘導作用により槽内部の強磁性体金網３５を磁化させ、降下沈殿中の放射性セシウムだけを吸着し、泥を通過させて泥を槽��底部に沈殿させる。【００８１】  図６はこの第４槽２８の外部に備えた電磁石３６とその内部に備えた強磁性体金網３５の配置と形状を表す。【００８２】  図中の上部から放射性セシウム３４及び泥３７が降下するが、強磁性体金網３５を通過するとき放射性セシウム３４はこの励磁した強磁性体金網３５に吸着し、泥３７は通過して落下する。【００８３】  この強磁性体金網３５の形状は先の尖った部分がより帯磁が強力になる磁石の性質からそれぞれ向かい合った板状の向きを交互にハの字状に配置することを含んでいる。【００８４】  これらの形状の強磁性体金網を上下に数枚配置することにより、より放射性セシウムの吸着を確実にする。【００８５】    この時槽底に溜まった泥の中には強磁性体金網で吸着できすに通過した放射性セシウムも含まれる可能性から循環ポンプ４２を定期的に作動し沈殿した泥を再び槽の上部へ押し上げ降下沈殿を繰り返し、何度も強磁性体金網を通過させて完全に泥と放射性セシウムの分離を行う。【００８６】  次に上記完全に分離が完了したら、第４槽２８の水の流れを止めるため導管２９に具備した電動弁３０を作動し弁を閉じ、高圧ポンプ３２を停止して循環を停止し、循環ポンプ４２を停止した後、泥回収用電磁弁４１を開いて第４槽２８の底部に沈殿した泥回収４０を行う。【００８７】  この後、泥回収用電磁弁４１を閉じて電磁石３６の通電を切り強磁性体金網３５の励磁を止めて、この金網に付いた放射性セシウムを落下沈殿させ、槽底に沈殿した放射性セシウムをセシウム回収用電磁弁３８を開いてセシウム回収３９を行う。【００８８】  セシウム回収の後、上記電動弁３０を開き高圧ポンプ３２を作動して浄化水を循環させ一連の動作を繰り返す。【００８９】  この動作の中で余分な浄化水はオーバーフロー４３にて外部に流しだす。【００９０】（実施の形態２）【００９１】  実施の形態１で説明した本発明による放射性セシウム回収装置からセシウム回収３９した放射性セシウムを含む高濃度汚染水から放射性セシウムと水との完全分離を行う放射性セシウム凝縮分離装置を説明する。【００９２】  図５では実施の形態２に於ける放射性セシウム凝縮分離装置を表し、実施の形態１で説明した放射性セシウム回収装置からセシウム回収３９高濃度汚染水を分離槽４９に入れ加熱器４５で分離槽内の汚染水を加熱する。【００９３】  放射性セシウム３４が同位性元素である金属セシウムの融点２８．４４℃以上になると溶融し、高密度のため隣通しの溶けた放射性セシウムはくっ付き合い液体金属セシウム４４として液体の塊となる。【００９４】  この時この液体金属セシウム４４から分離した温水は完全な浄化水として外部に放出でき、液体金属セシウム４４は高温を維持しつつ排出ポンプ４６にて外部に排出し、常温冷却の後、固体の放射性金属セシウムの塊として保管容器に入れ半減期まで遮蔽コンクリート４７や専用保管庫などにて管理保管する。【００９５】（実施の形態３）
図７では、実施の形態１で説明した本発明による放射性セシウム回収装置と実施の形態２で説明した本発明による放射性セシウム凝縮分離装置とを１台或いは複数台のトラック４８の荷台に装備し、移動可能とした。【００９６】  このトラックを被災地へ移動させ、田畑など現地で汚染土を採取し、放射性セシウムだけを回収し土砂や養分を含む浄化水を、汚染土を採取した場所に戻す。【００９７】  上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。【００９８】
【符号の説明】
【００９９】１中性子、２ウラン２３８、３分裂片、１０汚染土、１１ホッパー、１２高圧洗浄ノズル、１３回転籠、１４スクリューコンベヤ、１５土砂排出、１６工水、１７第１槽、１８第２槽、１９スクリューコンベヤ、２０循環ポンプ、２１ヒーター、２２導管、２３循環水噴射、２４第３槽、２５細かい土砂排出、２６容積型圧送ポンプ、２７ヒーター、２８第４槽、２９導管、３０電動弁、３１撹拌機、３２高圧ポンプ、３３ストレーナ、３４放射性セシウム、３５強磁性体金網、３６電磁石、３７泥、３８セシウム回収用電磁弁、３９セシウム回収、４０泥回収、４１泥回収用電磁弁、４２循環ポンプ、４３オーバーフロー、４４液体金属セシウム、４５加熱器、４６排出ポンプ、４７遮蔽コンクリート、４８トラック、４９分離槽、５０水槽、５１水、５２泥の沈殿層、５３軽砂沈殿層、５４重砂沈殿層、５５水面（計測点Ａ）、５６底面（計測点Ｂ）、５７計測点Ｃ、５８計測点Ｄ、５９計測点Ｅ、６０バケツ、６１計測点Ｆ、６２計測点Ｇ
【図１】
2014025904.tif 000004
【図２】
2014025904.tif 000005
【図３】
2014025904.tif 000006
【図４】
2014025904.tif 000007
【図５】
2014025904.tif 000008
【図６】
2014025904.tif 000009
【図７】
2014025904.tif 000010